(57)【要約】【課題】  視力検査を精度よく行うことができる視力検査装置を提供する。【解決手段】  被検者に検査視標を呈示する視標呈示部と、検査視標が呈示される視標窓と、視標窓の周辺に形成される視標窓周辺部と、を有する視標窓部と、視標呈示部及び視標窓部を収納する筐体と、検査視標を筐体の内部から外部に向けて呈示するための呈示窓であって、筐体に設けられた呈示窓と、を有し、被検者が呈示窓を覗き込むことによって、筐体内部の視標窓に呈示された検査視標を確認し、被検眼の視力検査を行う視力検査装置であって、視標窓及び視標窓周辺部の少なくとも一方は、透過性を有する光学部材によって形成されている。【選択図】      図１
2019083893.tif 000002
【特許請求の範囲】
【請求項１】
被検者に検査視標を呈示する視標呈示部と、
前記検査視標が呈示される視標窓と、前記視標窓の周辺に形成される視標窓周辺部と、を有する視標窓部と、
前記視標呈示部及び前記視標窓部を収納する筐体と、
前記検査視標を前記筐体の内部から外部に向けて呈示するための呈示窓であって、前記筐体に設けられた呈示窓と、
を有し、
前記被検者が前記呈示窓を覗き込むことによって、前記筐体内部の前記視標窓に呈示された前記検査視標を確認し、被検眼の視力検査を行う視力検査装置であって、
前記視標窓及び前記視標窓周辺部の少なくとも一方は、透過性を有する光学部材によって形成されていることを特徴とする視力検査装置。
【請求項２】
請求項１の視力検査装置において、
前記視標窓周辺部は、前記光学部材として、透過性を有する第１光学部材で形成され、
前記第１光学部材には、前記検査視標の光束の少なくとも一部を遮蔽する遮蔽部が、前記第１光学部材における少なくとも視標呈示部側の面に形成されていることを特徴とする視力検査装置。
【請求項３】
請求項１又は２の視力検査装置において、
前記視標窓は、前記光学部材として、透過性を有する第２光学部材で形成され、前記視標呈示部からの前記検査視標の光束を透過し、前記被検者に前記検査視標を呈示することを特徴とする視力検査装置。
【請求項４】
請求項３の視力検査装置において、
前記第１光学部材と前記第２光学部材は同一の光学部材であることを特徴とする視力検査装置。
【発明の詳細な説明】
【技術分野】
【０００１】
本開示は、被検眼に検査視標を呈示して視力を測定するための視力検査装置に関する。
【背景技術】
【０００２】
被検者が呈示窓を覗き込み、視標窓に呈示された検査視標を確認することによって、被検眼の視機能（例えば、視力等）を測定する視力検査装置が知られている（例えば、特許文献１参照）。
【先行技術文献】
【特許文献】
【０００３】
【特許文献１】特開２０００−２８７９２６号公報
【発明の概要】
【発明が解決しようとする課題】
【０００４】
視力検査装置を用いて視力検査を行う場合、被検者は呈示窓を覗くことで、視標窓の奥側に配置された検査視標を観察する。このとき、例えば、被検眼は検査視標ではなく、検査視標の周辺（すなわち、視標窓の周辺）に焦点を合わせてしまうことがある。この状態では、視標窓の奥側に配置された検査視標に焦点が合わないため、精度のよい測定結果を得ることが困難な場合があった。
【０００５】
本開示は、上記従来技術に鑑み、視力検査を精度よく行うことができる視力検査装置を提供することを技術課題とする。
【課題を解決するための手段】
【０００６】
上記課題を解決するため、本開示は以下の構成を備えることを特徴とする。
【０００７】
（１）  本開示の第１態様に係る視力検査装置は、被検者に検査視標を呈示する視標呈示部と、前記検査視標が呈示される視標窓と、前記視標窓の周辺に形成される視標窓周辺部と、有する視標窓部と、前記視標呈示部及び前記視標窓部を収納する筐体と、前記検査視標を前記筐体の内部から外部に向けて呈示するため呈示窓であって、前記筐体に設けられた呈示窓と、を有し、前記被検者が前記呈示窓を覗き込むことによって、前記筐体内部の前記視標窓に呈示された前記検査視標を確認し、被検眼の視力検査を行う視力検査装置であって、前記視標窓及び前記視標窓周辺部の少なくとも一方は、透過性を有する光学部材によって形成されていることを特徴とする。
【図面の簡単な説明】
【０００８】
【図１】視力検査装置の外観構成図である。
【図２】視力検査装置の光学系と制御系を示す概略図である。
【図３】視標窓部を拡大して示す図である。
【図４】第１光学部材に形成される遮蔽部の一例を示す図である。
【図５】透過性及び屈折率をもつ光学部材を透過する光束を示す図である。
【図６】モニタの表示画面を説明する図である。
【図７】内部カバーの背面に開口部を設けた構成の一例を示す図である。
【発明を実施するための形態】
【０００９】
＜概要＞
典型的な実施形態の１つについて、図面を参照して説明する。図１〜図７は、本実施形態に係る視力検査装置を説明する図である。なお、以下の＜＞にて分類された項目は、独立または関連して利用され得る。また、以下において符号に付されるＬとＲは、それぞれ左眼用と右眼用を示すものとする。
【００１０】
例えば、本実施例における視力検査装置は、被検者が呈示窓を覗き込むことによって、筐体内部の視標窓に呈示された検査視標を確認し、被検眼の視力検査を行う視力検査装置であってもよい。例えば、視力検査装置は、被検者に検査視標を呈示する視標呈示部（例えば、視標呈示部２０）を備えていてもよい。例えば、視標呈示部は、検査視標が形成された視標板（例えば、視標板２１）を照明することで、被検者に検査視標を呈示する構成であってもよい。また、例えば、視標呈示部は、ディスプレイに検査視標を表示することで、被検者に検査視標を呈示する構成であってもよい。
【００１１】
また、例えば、視力検査装置は、視標窓部（例えば、視標窓部１２）を備えていてもよい。視標窓部としては、検査視標が呈示される視標窓（例えば、視標窓１５）と、視標窓の周辺に形成される視標窓周辺部（例えば、視標窓周辺部１６）と、を有する構成であってもよい。例えば、視標窓及び視標窓周辺部の少なくとも一方は、透過性を有する光学部材によって形成されていてもよい。これによって、検査視標と、視標窓周辺部と、の間の距離を短くすることが可能となり、被検眼の視力を精度よく測定することができる。
【００１２】
また、例えば、視力検査装置は、視標呈示部及び視標窓部を収納する筐体（例えば、筐体２）を備えていてもよい。また、例えば、視力検査装置は、検査視標を筐体の内部から外部に向けて呈示するための呈示窓であって、筐体に設けられた呈示窓（例えば、呈示窓２）を備えていてもよい。
【００１３】
＜視標窓周辺部＞
例えば、視標窓周辺部は、光学部材として、透過性を有する第１光学部材で形成されていてもよい。例えば、透過性を有する第１光学部材は、ガラス板、アクリル板、塩化ビニル板、ポリカーボネイト板、等の少なくともいずれかであってもよい。
【００１４】
例えば、視標窓周辺部には、検査視標の光束の少なくとも一部を遮蔽する遮蔽部が形成されている。例えば、このような遮蔽部としては、検査視標からの光束を完全に遮光する構成（つまり、光束の０％が透過する構成）であってもよい。検査視標からの光束の一部を遮光する構成（例えば、光束の３０％が透過する構成等）であってもよい。すなわち、遮蔽部は、検査視標からの光束が、視標窓周辺部よりも視標窓を多く透過する構成であってもよい。
【００１５】
なお、第１光学部材には、コーティング処理を施すことにより、遮蔽部が形成されてもよい。例えば、この場合には、浸漬、蒸着、塗装、等の少なくともいずれかがコーティング処理として行われてもよい。もちろん、第１光学部材には、シルク印刷等の印刷を施すことにより、遮蔽部が形成されてもよい。また、マスキングテープ、シール、等の少なくともいずれかを貼り付けることにより、遮蔽部が形成されてもよい。
【００１６】
また、例えば、遮蔽部は、第１光学部材における少なくとも視標呈示部側の面に形成されている。例えば、遮蔽部は、少なくとも視標呈示部側の面として、第１光学部材における視標呈示部側の面にのみ形成されていてもよい。また、例えば、遮蔽部は、少なくとも視標呈示部側の面として、第１光学部材における視標呈示部側の面と、視標呈示部側以外の少なくともいずれかの面と、に形成されてもよい。この場合の一例としては、遮蔽部が、第１光学部材における視標呈示部側の面と、呈示窓側の面と、に形成された構成等が挙げられる。これによって、被検眼が検査視標の周辺（すなわち、視標窓周辺部）に焦点を合わせていても、検査視標と視標窓周辺部との間の距離が短くなるので、精度よく視力検査を行うことができる。
【００１７】
なお、例えば、遮蔽部は、第１光学部材の少なくとも視標呈示部側の面において、その全面に形成されてもよい。もちろん、遮蔽部は、第１光学部材の少なくとも視標呈示部側の面において、その一部分に形成されてもよい。
【００１８】
＜視標窓＞
例えば、視標窓は、光学部材として、透過性を有する第２光学部材で形成されていてもよい。例えば、透過性を有する第２光学部材は、ガラス板、アクリル板、塩化ビニル板、ポリカーボネイト板、等の少なくともいずれかであってもよい。例えば、視標窓は、視標呈示部からの検査視標の光束を透過し、被検者に検査視標を呈示する。例えば、このような視標窓を検査視標の光束が透過することで、被検眼に対して、検査視標を実際に配置された距離よりも手前側にみせることができる。このため、被検眼が検査視標の周辺に焦点を合わせていても、検査視標と視標窓周辺部との間の距離が光学的に短くなり、精度よく視力検査を行うことができる。
【００１９】
なお、第１光学部材と第２光学部材は同一の光学部材であってもよい。例えば、本実施例においては、視標窓周辺部を形成する第１光学部材と、視標窓を形成する第２光学部材と、にアクリル板が用いられている。これによって、容易な構成で視標窓と視標窓周辺部とを形成することができる。もちろん、本実施例に限定されず、第１光学部材と第２光学部材は異なる光学部材であってもよい。例えば、この場合、第１光学部材としてアクリル板を用い、第２光学部材としてガラス板を用いる、等の構成としてもよい。
【００２０】
また、第１光学部材と第２光学部材は、一体的に配置することで、視標窓と視標窓周辺部とをそれぞれ形成する構成であってもよい。もちろん、第１光学部材と第２光学部材とを連結して配置することで、視標窓と視標窓周辺部とをそれぞれ形成する構成であってもよい。
【００２１】
例えば、本実施例において、透過性を有する第１光学部材は、空気より大きな屈折率をもつ光学部材であってもよい。また、例えば、本実施例において、透過性を有する第２光学部材は、空気より大きな屈折率をもつ光学部材であってもよい。空気より大きな屈折率をもつ光学部材としては、ガラス板、アクリル板、塩化ビニル板、ポリカーボネイト板、等の少なくともいずれかが用いられてもよい。例えば、光学部材が空気より大きな屈折率をもつことで、検査視標と視標窓周辺部との間の距離をより短くすることができる。従って、検者は、被検眼が視標窓周辺部に焦点を合わせていても、視力検査を精度よく行うことができるようになる。
【００２２】
＜実施例＞
以下、本実施例に係る視力検査装置について説明する。図１は、視力検査装置１の外観図である。例えば、視力検査装置１は筺体９を備える。例えば、筺体９の前側の上部には、呈示窓２が設けられている。呈示窓２は、検査視標を筺体９の内部から外部に向けて呈示する。例えば、本実施例における呈示窓２は、左眼用呈示窓２Ｌと右眼用呈示窓２Ｒとを有している。例えば、被検者は呈示窓２（左眼用呈示窓２Ｌ及び右眼用呈示窓２Ｒ）を覗き込むことによって、筺体９内部の視標窓１５（図３参照）に呈示された検査視標を確認し、被検眼の視力検査を行うことができる。例えば、筺体９の前側の中央部には、スピーカ６が設けられている。スピーカ６は左右一対であり、音声ガイド等が出力される。例えば、筺体９の前側の下部には、入力ボタン３、応答ボタン４、応答レバー（ジョイスティック）５、が設けられている。入力ボタン３は、被検者が視力検査を開始する信号を入力する際に用いる。応答ボタン４は、被検者が呈示された検査視標を判読できない際に用いる。応答レバー５は、被検者が呈示された検査視標を判読して、その方向を応答する際に用いる。例えば、本実施例における応答レバー５は、呈示される検査視標の上下左右の４つの方向に対応する前後左右の４つの方向に傾倒可能であり、４つの方向の信号を入力することができる。
【００２３】
例えば、筺体９の側部には、プリンタ７が設けられている。プリンタ７は検査結果を出力するために用いる。例えば、筺体９の上部には、ランプ８が設けられている。ランプ８は、検者に検査状況や検査結果等を報知する。ランプ８は、被検者が呈示窓２を覗き込んだときにみえない位置に配置されている。ランプ８は、複数のＬＥＤ（発光ダイオード）を備えており、多色（例えば、緑色と橙色の２色）発光が可能である。もちろん、ランプ８は１つのＬＥＤからなり、単色発光する構成であってもよい。
【００２４】
また、例えば、筺体９の側部には、ケーブル４２を介してコントロールボックス４０が接続されている。コントロールボックス４０は、視力検査装置１のパラメータ等を入力するための操作部と、入力されたパラメータ等を確認するための表示部と、を兼ねるタッチパネル式のモニタ４１を備える。
【００２５】
図２は視力検査装置１の光学系と制御系を示す概略図である。なお、図２は、筐体９の内部を上部からみた図を示している。例えば、筐体９の内部は、接眼レンズ１０Ｌ及び１０Ｒ、内部カバー１４Ｌ及び１４Ｒ、内部照明ランプ１７Ｌ及び１７Ｒ、視標窓部１２Ｌ及び１２Ｒ、視標呈示部２０、を備える。
【００２６】
接眼レンズ１０Ｌ及び１０Ｒは、左眼用呈示窓２Ｌと右眼用呈示窓２Ｒとにそれぞれ配置されている。これによって、呈示窓２（左眼用呈示窓２Ｌ及び右眼用呈示窓２Ｒ）に対して奥側に設けられた視標窓１５（視標窓１５Ｌ及び視標窓１５Ｒ）に検査視標を配置すると、被検眼Ｅにはみかけ上の遠用距離（例えば、５ｍ）だけ先に検査視標が呈示されているようにみえる。内部照明ランプ１７Ｌ及び１７Ｒは、内部カバー１４Ｌ及び１４Ｒによる視野空間を照明する。内部カバー１４Ｌ及び１４Ｒは、中央に仕切り板をもつ筒状のカバーである。これによって、左被検眼ＥＬと右被検眼ＥＲとが検査視標をみるための視野空間を個別に確保し、左右の光路を区分けすることができる。
【００２７】
例えば、本実施例において、内部カバー１４Ｌ及び１４Ｒは同一形状である。また、例えば、内部カバー１４Ｌ及び１４Ｒは、後述する視標照明ランプ２４Ｌから出射して接眼レンズ１０Ｌを通過する光軸Ｓ１Ｌと、視標照明ランプ２４Ｒから出射して接眼レンズ１０Ｒを通過する光軸Ｓ１Ｒと、のそれぞれを中心として、左右の内壁面が対称に形成されている。また、例えば、内部カバー１４Ｌ及び１４Ｒの背面には視標窓部１２Ｌ及び１２Ｒがそれぞれ設けられ、視標窓部１２Ｌ及び１２Ｒの上下左右における同位置に、後述する視標窓１５Ｌ及び視標窓１５Ｒ（図３参照）がそれぞれ配置されている。このため、両被検眼（すなわち、左被検眼ＥＬと右被検眼ＥＲの両眼）で呈示窓２を覗き込んだ場合には、視標窓１５Ｌ及び視標窓１５Ｒが融像して１つにみえるとともに、内部カバー１４Ｌ及び１４Ｒにおける左右の内壁面が１つの視野空間として観察される。例えば、これにより、被検者はみかけ上の遠用距離に置かれる検査視標を違和感なくみることができる。
【００２８】
例えば、内部カバー１４（内部カバー１４Ｌ及び１４Ｒ）の内壁面は黒色であるとよい。この場合には、コーティング処理等により内部カバー１４の内壁面を黒色にしてもよいし、黒色の部材を用いて内部カバー１４を形成してもよい。例えば、後述する視標窓周辺部１６は白色であるため、内部カバー１４と視標窓周辺部１６との境目をつくることにより、前述した融像を促すことができる。
【００２９】
＜視標呈示部＞
視標呈示部２０は、視標窓１５に検査視標を切り換えて配置するために用いられる。例えば、視標呈示部２０は、視標板２１、モータ２２、視標照明ランプ２４Ｌ及び２４Ｒ、を備える。視標板２１は透光性をもつガラス板からなる。このガラス板上には、方向性のある検査視標（例えば、上下左右に方向性をもつランドルト環視標等）が、遮光性をもつクロムコートによって形成されている。例えば、このような検査視標は、視力値０．１〜１．０、１．２、１．５、の１２段階で形成されていてもよい。また、例えば、このような検査視標は、左被検眼ＥＬ及び右被検眼ＥＲに対して、対となる同一の左眼用検査視標と右眼用検査視標を同時に呈示できるように、それぞれを視標窓１５Ｌ及び１５Ｒの位置に対応させて形成してもよい。
【００３０】
モータ２２は、視標板２１を回転させる。これにより、左眼用検査視標と右眼用検査視標とが、視標窓１５Ｌと視標窓１５Ｒとにそれぞれ配置される。視標照明ランプ２４Ｌ及び２４Ｒは、視標板２１を背面から照明する。これにより、視標窓１５Ｌ及び１５Ｒに配置された検査視標は、呈示窓２Ｌ及び呈示窓２Ｒに向けて呈示される。
【００３１】
＜視標窓部＞
図３は視標窓部１２Ｌ及び１２Ｒを拡大して示す図である。視標窓部１２Ｌ及び１２Ｒは、視標窓１５Ｌ及び１５Ｒと、視標窓周辺部１６Ｌ及び１６Ｒと、をそれぞれ備える。例えば、視標窓１５（視標窓１５Ｌ及び１５Ｒ）及び視標窓周辺部１６（視標窓周辺部１６Ｌ及び１６Ｒ）の少なくとも一方は、透過性を有する光学部材により形成されている。例えば、透過性を有する光学部材としては、ガラス板や樹脂板（例えば、アクリル板、塩化ビニル板、ポリカーボネイト板、等）を用いることができる。
【００３２】
例えば、視標窓１５は、筐体９とは異なる部材で形成される。もちろん、視標窓１５は、内部カバー１４とは異なる部材で形成されてもよい。また、例えば、視標窓１５は、透過性を有する第２光学部材により形成される。例えば、本実施例においては、視標窓１５を形成するための第２光学部材としてアクリル板１８が配置されている。このため、視標窓１５は、視標呈示部２０における検査視標からの光束を透過させ、被検者の被検眼Ｅに検査視標を呈示することができる。
【００３３】
例えば、視標窓周辺部１６は、筐体９とは異なる部材で形成される。もちろん、視標窓周辺部１６は、内部カバー１４とは異なる部材で形成されてもよい。また、例えば、視標窓周辺部１６は、透過性を有する第１光学部材により形成される。例えば、本実施例においては、視標窓周辺部１６を形成するための第１光学部材としてアクリル板１８が配置されている。つまり、本実施例においては、第１光学部材と第２光学部材とに同一の光学部材が用いられている。
【００３４】
例えば、第１光学部材（本実施例においては、アクリル板１８）には、検査視標からの光束の少なくとも一部を遮蔽する遮蔽部１９が形成される。つまり、遮蔽部１９は、検査視標からの光束を完全に遮光する構成（光束の０％が透過する構成）であってもよいし、検査視標からの光束の一部を遮光する構成（例えば、光束の３０％が透過する構成、光束の５０％が透過する構成、等）であってもよい。言い換えると、遮蔽部１９を通過する検査視標からの光束が、視標窓１５を通過する検査視標からの光束よりも、少なくなる構成であればよい。
【００３５】
なお、例えば、遮蔽部１９は、第１光学部材にコーティング処理を施すことによって形成されてもよい。コーティング処理としては、浸漬、蒸着、塗装、等の少なくともいずれかによる処理が行われてもよい。例えば、本実施例では、第１光学部材にコーティング処理を施すことで、視標窓周辺部１６を形成するとともに、前述の視標窓１５を形成している。もちろん、遮蔽部１９は、第１光学部材にシルク印刷等の印刷を施すことによって形成してもよい。また、遮蔽部１９は、第１光学部材にマスキングテープやシール等を貼り付けることによって形成してもよい。
【００３６】
例えば、本実施例では、遮蔽部１９が第１光学部材における少なくとも視標呈示部２０側の面（言い換えると、第１光学部材の裏面側）に形成されている。例えば、遮蔽部１９は、第１光学部材の裏面側にのみ形成されてもよい。また、例えば、遮蔽部１９は、第１光学部材の裏面側と表面側（言い換えると、第１光学部材の呈示窓１０側）とに形成されてもよい。この場合には、呈示窓２を介して第１光学部材の裏面側を確認できる程度に、第１光学部材の表面側がコーティング処理されることで、遮蔽部１９を形成してもよい。なお、本実施例においては、遮蔽部１９を第１光学部材の裏面側にのみ形成する場合を例に挙げる。
【００３７】
例えば、このような遮蔽部１９は、第１光学部材の全面に設けられてもよい。例えば、第１光学部材の全面とは、第１光学部材の裏面側を含む面であってもよい。また、遮蔽部１９は、第１光学部材の一部分にのみ設けられてもよい。なお、例えば、遮蔽部１９は、第１光学部材に白色のコーティング処理を施すことによって形成されてもよい。もちろん、白色以外のコーティング処理が施されてもよく、この場合には内部カバー１４とは異なる色であるとよい。
【００３８】
図４は第１光学部材に形成される遮蔽部１９の一例を示す図である。図４（ａ）は第１光学部材の呈示窓１０側に遮蔽部１９を形成した状態である。図４（ｂ）は第１光学部材の視標呈示部２０側に遮蔽部１９を形成した状態である。なお、図４では内部カバー１４Ｌに設けられた第１光学部材のみを図示するが、内部カバー１４Ｒに設けられた第１光学部材についても同様に考えることができる。
【００３９】
例えば、本実施例において、第１光学部材は内部カバー１４Ｌの背面を兼ねており、第１光学部材と、視標呈示部２０が備える視標板２１とは、互いに接触しないように、奥行方向に一定距離をあけて配置される。しかし、例えば、被検者が呈示窓２を覗くことによってみえる視標窓周辺部１６と、視標板２１と、の距離Ｄは、第１光学部材に形成する遮蔽部１９の位置によって異なる。つまり、第１光学部材における視標呈示部２０側の面に遮蔽部１９が形成された場合（すなわち、図４（ａ）に示す状態）は、第１光学部材の呈示窓１０側の面に遮蔽部１９が形成された場合（すなわち、図４（ｂ）に示す状態）よりも、視標窓周辺部１６と視標板２１との距離Ｄが、第１光学部材の厚みの分だけ短くなる。例えば、本実施例では、図４（ａ）に示すように、第１光学部材に形成する遮蔽部１９を視標呈示部２０側の面に設けることで、視標窓周辺部１６と視標板２１との距離Ｄをより短くしている。
【００４０】
なお、例えば、本実施例においては、第１光学部材と視標板２１とが、図示なき同一の部品に固定された構成となっている。このため、第１光学部材と視標板２１とを複数の部品を用いて固定する構成よりも、部品の組み付けによる公差等が抑えられ、視標窓周辺部１６と視標板２１との距離Ｄをより短くすることができる。
【００４１】
また、例えば、本実施例において、遮蔽部１９は、第１光学部材の視標窓１５とする領域を除く領域に形成されている。これによって、第１光学部材に視標窓１５を形成し、第１光学部材の周辺部分（すなわち、遮蔽部１９）に視標窓周辺部１６を形成することができる。
【００４２】
例えば、本実施例において、透過性を有する光学部材（すなわち、第１光学部材及び第２光学部材の少なくともいずれか）は、空気より大きな屈折率を有する光学部材であってもよい。例えば、空気より大きな屈折率を有する光学部材は、ガラス板や樹脂板（例えば、アクリル板、塩化ビニル板、ポリカーボネイト板、等）であってもよい。このような光学部材であることによって、視標窓周辺部１６と、視標板２１に形成された検査視標と、の距離を光学的に近づけることができる。以下、これについて詳細に説明する。
【００４３】
図５は、透過性及び屈折率をもつ光学部材を透過する光束を示す図である。なお、図５では、透過性及び屈折率をもつ光学部材としてアクリル板１８を用いた場合を例に挙げる。また、図５では、視標板２１に形成された検査視標を検査視標１３として図示する。例えば、光束は屈折率の小さな物質から屈折率の大きな物質へと進むとき、入射角αが屈折角βよりも大きくなる。例えば、空気の屈折率は１．００であり、アクリル板１８の屈折率は１．４９である。このため、本実施例では、検査視標１３からの光束が空気中を通過してアクリル板１８に到達すると、入射角α＞屈折角βとなるように折れ曲がって、アクリル板１８中を通過する。また、例えば、光束は屈折率の大きな物質から屈折率の小さな物質へと進むとき、入射角γが屈折角ηよりも小さくなる。このため、本実施例では、検査視標１３からの光束がアクリル板１８中を通過して、アクリル板１８と空気との境界に到達すると、入射角γ＜屈折角ηとなるように折れ曲がって、空気中に放出される。なお、本実施例において、アクリル板１８の表面と裏面とは平行である。従って、入射角αと入射角γとは等しくなり、また、屈折角βと屈折角ηとは等しくなる。
【００４４】
例えば、このような状態であるとき、被検眼Ｅには、アクリル板１８から空気中に放出された光束の延長線（すなわち、図５に示す点線）上にある点Ｐに、検査視標１３があるようにみえる。つまり、被検眼Ｅには、検査視標１３が実際に配置された位置よりも、検査視標１３が手前側に位置してみえる。例えば、透過性及び屈折率をもつ光学部材を用いると、このように被検眼Ｅに対して検査視標１３を手前側にみせることができるため、視標窓周辺部１６と検査視標１３との距離Ｄ（すなわち、視標窓周辺部１６と視標板２１との距離Ｄ）を見かけ上の距離ｄとすることができる。なお、例えば、被検眼Ｅは、接眼レンズ１０Ｌ及び１０Ｒを介して検査視標１３を観察するので、レンズを介さずに検査視標１３を観察した場合に比べて見かけ上の距離ｄが短くなり、検査視標１３はより手前側に配置されているようにみえる。
【００４５】
＜制御系＞
例えば、制御部３０（図２参照）は、視力検査装置１の各部を統括・制御する。例えば、制御部７０は、ＣＰＵ（プロセッサ）、ＲＡＭ、ＲＯＭ等を含んで構成されてもよい。例えば、ＣＰＵは、視力検査装置１における各部材の駆動を制御する。例えば、ＲＡＭは、各種の情報を一時的に記憶する。例えば、ＲＯＭには、ＣＰＵが実行するプログラム等が記憶されている。なお、制御部３０は、複数の制御部（つまり、複数のプロセッサ）によって構成されてもよい。
【００４６】
例えば、制御部３０には、入力ボタン３、応答ボタン４、応答レバー５、スピーカ６、プリンタ７、ランプ８、内部照明ランプ１７Ｌ及び１７Ｒ、モータ２２、視標照明ランプ２４Ｌ及び２４Ｒ、記憶部（メモリ）３１、コントロールボックス４０、等が電気的に接続されている。例えば、メモリ３１は、電源の供給が遮断されても記憶内容を保持できる非一過性の記憶媒体であってもよい。例えば、メモリ３１としては、ハードディスクドライブ、フラッシュＲＯＭ、および、視力検査装置１に着脱可能に装着されるＵＳＢメモリ、等を使用することができる。例えば、メモリ３１には、検査プログラム（例えば、後述する自動検査モードにおいて用いられる自動検査プログラム、後述する手動検査モードにおいて用いられる手動検査プログラム、等）が記憶されていてもよい。
【００４７】
＜モニタ表示＞
図６はコントロールボックス４０が備えるモニタ４１の表示画面を説明する図である。なお、図６に示す表示画面は、後述する手動検査モード設定時の表示画面である。例えば、モニタ４１には、方向選択部５０及び視力値選択部６０が表示される。方向選択部５０は、検査視標の方向を選択するための方向選択スイッチを備える。例えば、方向選択スイッチは検査視標の上下左右の４つの方向に対応している。また、方向選択スイッチには、検者が検査視標の方向を視覚的に判断できるように、検査視標の方向を示すマークが付されている。例えば、本実施例においては、このような方向選択スイッチとして、検査視標を上方向（ランドルト環視標の切れ目を上方向）とするための信号を入力するスイッチ５１と、右方向とするための信号を入力するスイッチ５２と、下方向とするための信号を入力するスイッチ５３と、左方向とするための信号を入力するスイッチ５４と、が設けられている。
【００４８】
視力値選択部６０は、現在選択されている検査視標の視力値を表示する視力値表示部６１と、検査視標の視力値を増加させるための信号を入力するスイッチ６２と、検査視標の視力値を減少させるための信号を入力するスイッチ６３と、を備える。
【００４９】
例えば、制御部３０は、検者が選択した各種のスイッチから入力された信号に基づいて、視標呈示部２０に所期する検査視標を呈示する。より詳細には、例えば、制御部３０は、視力値表示部６１に表示された視力値、かつ方向選択スイッチ（すなわち、スイッチ５１〜５４）により入力された方向をもつ検査視標が視標窓１５に配置されるように、モータ２２を駆動して視標板２２を回転させる。
【００５０】
＜制御動作＞
上記の構成を備える視力検査装置１の制御動作について、遠用視力を検査する場合を例に挙げて説明する。なお、本実施例における視力検査装置１では、遠用視力検査が右眼、左眼、両眼の順に連続して進行する。また、本実施例における視力検査装置１は、制御部３０が被検眼Ｅに呈示する検査視標を自動で選択する自動検査モードと、検者が被検眼Ｅに呈示する検査視標を手動で選択する手動検査モードと、を備える。例えば、検者が視力検査装置１の図示なき電源を入れると、自動検査モードに設定される。もちろん、モニタ４１を操作して、検査モードを選択するようにしてもよい。
【００５１】
例えば、検者は、被検者に呈示窓２を覗かせて、入力ボタン３を押す。被検者に入力ボタン３を押すよう指示してもよい。制御部３０は、入力ボタン３からの信号に応じて視力検査を開始する。このとき、スピーカ６からは、「視力を自動で計ります。軽くレバーを倒して下さい。」というように、最初の音声ガイドが発生される。被検者が音声ガイドに従って応答レバー５をいずれかの方向に倒すと、制御部３０はその信号を受けて視力検査装置１を可動状態にする。
【００５２】
例えば、制御部３０は、内部照明ランプ１７（内部照明ランプ１７Ｌ及び１７Ｒ）と、視標照明ランプ２４（視標照明ランプ２４Ｌ及び２４Ｒ）と、を点灯させる。また、例えば、制御部３０は、モータ２２を駆動することにより視標板２１を回転させ、視標窓１５（視標窓１５Ｌ及び１５Ｒ）に初期検査視標（例えば、視力値０．５の検査視標等）を配置する。スピーカ９からは「右手で軽くレバーを持ち、左手は手前のボタンに添えて、窓を覗いて下さい。」との音声ガイドが発生される。次に、「視力を計ります。輪の切れた方向（検査視標がランドルト環視標である場合）に軽くレバーを倒して下さい。輪の切れた方向が分からないときは、手前のボタンを押して下さい。」との音声ガイドが発生される。被検者が応答レバー５または応答ボタン４を用いて応答すると、被検眼の視力を判定するための視力検査プログラムが実行される。
【００５３】
例えば、視力検査プログラムでは、制御部３０の制御によってスピーカ６から「方向は？」との音声ガイドが発生される。被検者は、視標窓１５に呈示された検査視標の方向を判読して、応答レバー５をその方向に傾倒する。制御部３０は、検査視標の方向と、被検者が傾倒した応答レバー５の方向と、が一致しているかを判別する。例えば、制御部３０は、被検者の応答が正答であれば（すなわち、検査視標の方向と応答レバー５の方向とが一致していれば）、視標板２１を回転させて１段階高い視力値の検査視標を呈示する。また、例えば、制御部３０は、被検者の応答が誤答であれば（すなわち、検査視標の方向と応答レバー５の方向とが一致していなければ）、視標板２１を回転させて１段階低い視力値の検査視標を呈示する。
【００５４】
例えば、被検眼Ｅに呈示された検査視標の視力値及び方向は、メモリ３１に遂次記憶される。例えば、１段階高い視力値の検査視標を呈示した場合に、被検者の応答が誤答であったとき、または判読不能であったとき（応答ボタン４が操作されたとき）は、制御部３０が、検査視標の視力値を被検眼がみえていた段階まで戻し、検査視標の方向を変えて視力検査を続ける。例えば、制御部３０は、このようにして視標窓１５に呈示される検査視標を順次変更し、被検者の応答結果の正誤を判別する。例えば、制御部３０は、同一視力値の検査視標で２回以上の正答があれば、被検眼にその視力値があるものと判定する。
【００５５】
例えば、右被検眼に対して上述の遠用視力検査を行うと、左被検眼に対しても同様に遠用視力検査が行われる。これによって、被検者の右被検眼と左被検眼において、それぞれの検査結果が取得される。
【００５６】
ここで、例えば、制御部３０は、自動検査モードで得られた最終的な検査結果（最終視力値）と、手動検査モード設定時の判定基準（基準視力値）と、に基づいて、再検査の有無を判定する。なお、本実施例では、このような基準視力値が視力値０．７に設定されている。例えば、制御部３０は、自動検査モードで取得した最終視力値が、基準視力値である０．７を下回ったか否かを判定する。例えば、制御部３０は、最終視力値が基準視力値を上回るか、あるいは同じであった場合には、遠用視力検査を終了すると判定してもよい。また、例えば、制御部３０は、最終視力値が基準視力値を下回っていた場合には、再検査を行うと判定してもよい。
【００５７】
例えば、遠用視力検査を終了する場合、制御部３０の制御により、スピーカ６から「終わりました。装置の右側から検査結果が印刷されます。」と音声ガイドが発生される。このとき、プリンタ７から検査結果が出力される。また、このとき、検査結果がモニタ４１に表示されるとともに、メモリ３１に記憶される。なお、検査終了時の音声ガイド、検査結果の印刷と表示、等は再検査が終了した場合も同様である。
【００５８】
例えば、再検査を行う場合、制御部３０は、検査モードを自動検査モードから手動検査モードに切り換える。手動検査モードが設定されると、制御部３０は、自動検査モードで最終視力値を判定した際の検査視標（最終視力判定時視標）をメモリ３１から読み出す。そして、制御部３０は、最終視力判定時視標と同じ視力値であり、最終視力判定時視標の方向に対して直交する方向をもつ検査視標を視標窓１５に呈示する。
【００５９】
また、制御部３０は、コントロールボックス４０が備えるモニタ４１に、方向選択部５０及び視力値選択部６０を表示させる。なお、制御部３０は、ランプ８を発光させて、検査モードが手動検査モードに設定されたこと（すなわち、再検査が必要になったこと）を検者に知らせてもよい。例えば、検者は、コントロールボックス４０を操作して、再検査を手動で行う。このとき、検者は、被検者に検査視標の見え方を確認したり、矯正レンズ等を用いて被検者の視力を調整したりしながら、遠用視力検査を進める。再検査が終了すると、前述と同様にプリンタ７から検査結果が出力される。
【００６０】
以上説明したように、例えば、本実施例における視力検査装置は、検査視標が呈示される視標窓と、視標窓の周辺に形成される視標窓周辺部と、を有し、視標窓及び視標窓周辺部の少なくとも一方が、透過性を有する光学部材によって形成されている。例えば、これによって、被検者に検査視標を呈示する視標呈示部と、視標窓周辺部と、の間の距離を短くすることが可能となり、被検眼の視力を精度よく測定することができる。
【００６１】
また、例えば、本実施例における視力検査装置は、透過性を有する第１光学部材で視標窓周辺部が形成されている。また、第１光学部材には、検査視標の光束の少なくとも一部を遮蔽する遮蔽部が、少なくとも視標呈示部側の面に形成されている。これによって、被検眼が検査視標の周辺（すなわち、視標窓周辺部）に焦点を合わせていても、検査視標と視標窓周辺部との間の距離が短くなるので、精度よく視力検査を行うことができる。
【００６２】
また、例えば、本実施例における視力検査装置は、透過性を有する第２光学部材で視標窓が形成されている。このため、視標窓を介して視標呈示部からの検査視標の光束を透過させ、被検者に検査視標を呈示することができる。また、このような視標窓を検査視標の光束が透過することで、被検眼に対して、検査視標を実際に配置された距離よりも手前側にみせることができる。このため、被検眼が検査視標の周辺に焦点を合わせていても、検査視標と視標窓周辺部との間の距離が光学的に短くなり、精度よく視力検査を行うことができる。
【００６３】
また、例えば、本実施例における視力検査装置は、第１光学部材と第２光学部材とに同一の光学部材が用いられている。このため、容易な構成で視標窓と視標窓周辺部とを形成することができる。
【００６４】
また、例えば、本実施例における視力検査装置では、空気より大きな屈折率を有する光学部材が用いられている。例えば、本実施例では、このような光学部材としてアクリル板を用いており、光学部材が空気より大きな屈折率をもつことで、検査視標と視標窓周辺部との間の距離をより短くすることができる。従って、検者は、被検眼の視力検査を精度よく行うことができる。
【００６５】
＜変容例＞
なお、本実施例では、視標窓周辺部１６を形成するための第１光学部材と、視標窓１５を形成するための第２光学部材と、に同一の光学部材を用いる構成を例に挙げて説明したがこれに限定されない。例えば、第１光学部材と第２光学部材とには、異なる光学部材が用いられてもよい。例えば、この場合、第１光学部材としてアクリル板を用い、第２光学部材としてガラス板を用いる、等の構成としてもよい。
【００６６】
また、本実施例では、第１光学部材と第２光学部材とが１枚のアクリル板１８によって一体的に構成されているがこれに限定されない。例えば、第１光学部材と第２光学部材とを連結して配置し、視標窓１５と視標窓周辺部１６とをそれぞれ形成する構成であってもよい。すなわち、例えば、第１光学部材と第２光学部材とが同一の光学部材である場合には、２枚のアクリル板が連結して配置されてもよい。また、例えば、第１光学部材と第２光学部材とが異なる光学部材である場合には、それぞれの光学部材（例えば、アクリル板とガラス板、等）が連結して配置されてもよい。
【００６７】
なお、本実施例では、視標呈示部２０が視標板２１と視標照明ランプ２４を備え、視標板２１を視標照明ランプ２４で照明することにより、被検眼Ｅに検査視標を呈示する構成を例に挙げて説明したがこれに限定されない。例えば、視標呈示部２０はディスプレイを備え、その画面に検査視標を表示することで、被検眼Ｅに検査視標を呈示する構成であってもよい。例えば、ディスプレイとしては、ＬＣＤ（Liquid Crystal Display）、有機ＥＬ（Electro Luminescence）ディスプレイ、プラズマディスプレイ、等のいずれかを用いる構成としてもよい。
【００６８】
なお、本実施例では、第１光学部材を用いて視標窓１５を形成し、第２光学部材を用いて視標窓周辺部１６を形成する構成を例に挙げて説明したがこれに限定されない。例えば、第１光学部材を配置せずに視標窓１５を形成し、第２光学部材を配置して視標窓周辺部１６を形成する構成であってもよい。すなわち、第１光学部材を配置せずに開口部とすることで、視標板２１に形成された検査視標を呈示するための視標窓１５を形成する構成であってもよい。
【００６９】
なお、本実施例では、第１光学部材が内部カバー１４の背面を兼ねる構成を例に挙げて説明したがこれに限定されない。例えば、内部カバー１４の背面としては、内部カバー１４の側面と同一の部材が用いられ、視標板２１に形成された検査視標を呈示可能にするための開口部を設ける構成であってもよい。図７は内部カバー１４の背面に開口部を設けた構成の一例を示す図である。例えば、このような構成である場合、第１光学部材（例えば、アクリル板１８）は、図７（ａ）に示すように開口部内に設けられてもよい。また、例えば、このような構成である場合、第１光学部材は、図７（ｂ）に示すように開口部の前面側（表面側）に設けられてもよい。例えば、このようにして検査視標を呈示する視標窓１５を形成することによっても、開口部の奥側に配置された視標板２１の検査視標を、実際の配置位置よりも手前側にみせることができる。なお、内部カバー１４の背面に開口部を設けた構成である場合には、内部カバー１４の背面における表面側を白色にコーティング処理して、視標窓周辺部１６を形成するとよい。
【００７０】
なお、本実施例では、呈示窓２として、左眼用呈示窓２Ｌと右眼用呈示窓２Ｒの２つを備える構成を例に挙げて説明したがこれに限定されない。例えば、呈示窓は１つであってもよい。この場合には、左被検眼ＥＬまたは右被検眼ＥＲのいずれか一方で覗き込むことが可能な構成であってもよいし、両被検眼で覗き込むことが可能な構成であってもよい。また、例えば、呈示窓は複数であってもよい。この場合には、例えば、遠用視力を検査するための一対の呈示窓と、近用視力を検査するための一対の呈示窓と、がそれぞれ設けられた構成であってもよい。
【００７１】
なお、本実施例では、再検査時に、最終視力判定時視標と同じ視力値の検査視標を呈示する構成を例に挙げて説明したがこれに限定されない。例えば、最終視力判定時視標の視力値よりも所定の段階だけ低い視力値をもつ検査視標を呈示してもよい。手動検査モードにおける判定基準の視力値をもつ検査視標を呈示してもよい。
【００７２】
また、本実施例では、再検査時に、最終視力判定時視標の方向と直交する方向の検査視標を呈示する構成を例に挙げて説明したがこれに限定されない。例えば、最終視力判定時視標の方向とは異なる方向（本実施例では、３方向のいずれか）をランダムで選択してもよい。呈示可能な向き（本実施例では、４方向のいずれか）をランダムに選択してもよい。
【００７３】
なお、本実施例では、検査モードが切り換わったことをランプ８により報知する構成を例に挙げて説明したがこれに限定されない。例えば、モニタ４１への表示、スピーカ６からの音声ガイド、等により報知してもよい。また、検査モードが切り換えられた際に、ランプ８の発光色を変化させて（例えば、緑色から橙色に変化させる等）報知する構成でもよい。
【符号の説明】
【００７４】
１  視力検査装置
２  呈示窓
１５  視標窓
１６  視標窓周辺部
１８  第１光学部材、第２光学部材
１９  遮蔽部
２０  視標呈示部
３０  制御部
３１  メモリ
【図１】
2019083893.tif 000003
【図２】
2019083893.tif 000004
【図３】
2019083893.tif 000005
【図４】
2019083893.tif 000006
【図５】
2019083893.tif 000007
【図６】
2019083893.tif 000008
【図７】
2019083893.tif 000009